(57)【特許請求の範囲】
【請求項１】
インクカートリッジ開閉構造において、該インクカートリッジは、互いに組み合わされることで交換式インクバッグを収容する容器を形成するカートリッジ本体とカバーを包含し、該インクカートリッジ開閉構造は、
該カバーの、該カートリッジ本体との接合面の互いに対向する２辺それぞれに、少なくとも一つのフックが設けられ、該カートリッジ本体の互いに対向する二つの長辺側壁それぞれに少なくとも一つの係止ユニットを備え、該係止ユニットは溝と弾性係止部で構成され、該カバーを該カートリッジ本体に組み合わせる時、該カバーの該フックを該カートリッジ本体の該溝内に挿入し、該弾性係止部で該フックの辺縁を制圧し、該カバーの該カートリッジ本体に対する位置を固定し、該カバーを該カートリッジ本体より分離する時は、該カバーを横向きに移動させて、該フックを該溝の軌道に沿って該弾性係止部による係止から離脱させた後に、該カバーを上向きに起こして該カートリッジ本体と分離させることができることを特徴とする、インクカートリッジ開閉構造。
【請求項２】
請求項１記載のインクカートリッジ開閉構造において、該カートリッジ本体の長辺側壁は少なくとも一つの位置決め凹溝を備え、該カバーの辺縁底面の、該位置決め凹溝に対応する位置に、少なくとも一つの凸粒が設けられて、組合せ時に該凸粒が該位置決め凹溝内に位置することを特徴とする、インクカートリッジ開閉構造。
【請求項３】
請求項１記載のインクカートリッジ開閉構造において、該溝の軌道はＬ形を呈し、該カートリッジ本体の長辺側壁に分布する該溝の方向はいずれも同じであることを特徴とする、インクカートリッジ開閉構造。
【請求項４】
請求項１記載のインクカートリッジ開閉構造において、該カートリッジ本体に少なくとも一つの位置決め孔が設けられ、該カバーの互いに対応する側辺に少なくとも一つの位置決め凸塊が設けられ、該カバーと該カートリッジ本体の組合せ時に、該位置決め凸塊は該位置決め孔内に挿入されることを特徴とする、インクカートリッジ開閉構造。
【請求項５】
請求項１記載のインクカートリッジ開閉構造において、該カバーに使用者が該カバーを押して移動させるのに用いられる操作孔が設けられることを特徴とする、インクカートリッジ開閉構造。
【請求項６】
請求項１記載のインクカートリッジ開閉構造において、該カバーの該フックがある部分の辺縁に制限溝があり、該制限溝の幅は、該カバーの該カートリッジ本体上部における横向き移動の距離に等しいかそれより大きい、該カバーと該カートリッジ本体の組合せ時に、該弾性係止部が該制限溝内に位置することを特徴とする、インクカートリッジ開閉構造。
【請求項７】
請求項１記載のインクカートリッジ開閉構造において、該カートリッジ本体はコネクタ取り付けシートを備え、該インクバッグはインク供給コネクタを備え、該コネクタ取り付けシートの形態は、該インク供給コネクタの形状に対応することを特徴とする、インクカートリッジ開閉構造。
【発明の詳細な説明】
【技術分野】
【０００１】
本発明は一種の、重複して使用可能なインクカートリッジの技術領域に係り、特に、スピーディーに開閉できるインクカートリッジ構造であって、インクバッグの交換に便利であるものを指す。
【背景技術】
【０００２】
商業用のインクジェットプリンターに採用されているインクカートリッジの容量は、通常、４００〜６００ｍｌとされ、インクカートリッジをプリンタに取り付ける時に、過多の空間を占拠しないように、現在、このようなインクカートリッジ形態の多くは細長い直方体とされ、その長さ幅比率は６倍以上に達し得る。
【０００３】
このようなインクカートリッジの内部には、形態可変のインクバッグが収容され、インクバッグは連続性の大量のインク送出を請け負う。インクバッグのインク量が多いため、インクバッグがインクカートリッジ内に固定されていないと、運送過程中の揺れ、或いはインクバッグ局部に過多のインクが集中することで、インクカートリッジのケースが圧迫されて破裂しやすい。
【０００４】
ゆえに、現在、このようなインクカートリッジ内のインクバッグの局部表面は、内壁に接着され、一次使用性のインクカートリッジとされ、インクを使い切った時には、インクカートリッジごと交換しなければならない。これにより使用者が重複してインクカートリッジを購入するコストが増加し、廃棄物であるインクカートリッジケースもまた資源の浪費及び環境の汚染を形成し得る。
【０００５】
このため、本発明者は交換可能なインクバッグを設計し、インクカートリッジに接着固定されるインクバッグの代わりとすることを思いついた。これと共に、インクカートリッジの構造も新たに設計し、該インクカートリッジを重複して開閉できるようにして、インクバッグを交換できるようにする必要がある。
【０００６】
伝統的な大容量のインクカートリッジは、もともと一次使用性の製品であり、該インクカートリッジのカバーとカートリッジ本体は閉じ合わされた後に、再度開かれる必要はない。これにより、構造の多くは単方向の係止方式とされ、一旦該カバーがカートリッジ本体と閉じ合わされた後には、強制的に開けようとすれば、そのうち一つの部品が破損し、そうでなければ、工具による補助を利用し特定の方式を採用して開ける必要がある。たとえば、ドライバーを該インクカートリッジの特定の溝或いは孔に挿入し、力を加えて、回して該カバーを開ける。或いは、スクリュードライバーで、該カバーと該カートリッジ本体間を固定するネジを回してゆるめる。
【０００７】
このために、該インクバッグの交換時の手続は煩瑣であり、たとえば、先に特定工具を探し出さねばならず、使用者にとって不便であり、このため、本発明者は多年の経験に基づき、不断の改良を行ない、終にこのインクカートリッジ開閉構造を設計した。
【発明の概要】
【発明が解決しようとする課題】
【０００８】
本発明の主要な目的は、一種の、工具補助の必要がなく、インクカートリッジの開閉が行える機構を提供することにあり、本発明の設計を運用すると、該インクカートリッジはただ特定の開放或いは取り付けの方式を遵守すれば、特定の操作フローで、インクカートリッジのカバーをカートリッジ本体に取り付けることができ、或いは、迅速に該カバーを該カートリッジ本体より分離でき、こうしてインクカートリッジの開閉動作を行え、インクバッグの交換作業を行う時に便利である。
【課題を解決するための手段】
【０００９】
上述の目的を達成するため、本発明のインクカートリッジは、少なくとも、カートリッジ本体とカバーを包含し、両者が組み合わされて交換式インクバッグを収容する容器を形成する。該カバーの該カートリッジ本体との接合面の互いに対向する２辺それぞれに、少なくとも一つのフックが設けられ、該カートリッジ本体の互いに対向する二つの長辺側壁それぞれになくとも一つの係止ユニットを備え、該係止ユニットは溝と弾性係止部で構成され、組合せ時に、該カバーのフックが該カートリッジ本体の溝内に挿入され、該弾性係止部は該フックの辺縁を制圧し、両者の位置を固定し、該カバーが該カートリッジ本体より分離させる時は、該カバーを横向きに移動させて、該フックを該溝の軌道に沿って該弾性係止部による係止から離脱させた後に、該カバーを上向きに起こして該カートリッジ本体と分離できる。
【発明の効果】
【００１０】
本発明の設計を運用すると、該カバーをカートリッジ本体に取り付ける時は、ただ該カバーを所定角度で上から下に該カートリッジ本体に対して押し付けることで、該カバーをカートリッジ本体と係合固定でき、スピーディーで便利である。
【００１１】
インクバッグを交換したい時は、該カバーを該カートリッジ本体上部で横向きに短距離移動させ、その後、該カバーを下から上に起こせばよく、この過程中に他の工具による補助は必要なく、こうして、該インクカートリッジのインクバッグ交換にさらに便利となる。
【図面の簡単な説明】
【００１２】
【図１】本発明の立体図である。
【図２】本発明の実際の使用時の分解図である。
【図３Ａ】本発明のカートリッジ本体とカバーの局部拡大図である。
【図３Ｂ】本発明のカートリッジ本体とカバーの他角度から見た局部拡大図である。
【図４】本発明のカバーのカートリッジ本体への組み付け動作の表示図である。
【図５】本発明のカバーのカートリッジ本体への組み付け後の表示図である。
【図６Ａ】本発明のカバーのカートリッジ本体上部での横向き移動の立体図である。
【図６Ｂ】本発明のカバーのカートリッジ本体上部での横向き移動の側面図である。
【発明を実施するための形態】
【００１３】
本発明の技術内容、構造特徴、達成する目的を詳細に説明するため、以下に実施例を挙げ並びに図面を組み合わせて説明する。
【００１４】
図１及び図２に示されるのは、本発明の立体図及び実際の使用時の分解図である。本発明のインクカートリッジは、少なくともカートリッジ本体１とカバー３を包含し、両者は組合せ後に、一つの容器を構成し、該容器内にインクバッグ２が収容される。該容器の形態は直方体型とされ得るが、これに限定されるわけではない。該インクバッグ２は交換可能に該カートリッジ本体１内に取り付けられ、インクがなくなった時に、スピーディーに便利に新しいインクバッグ２に交換できる。
【００１５】
該インクバッグ２はインク供給コネクタ２１を備え、該カートリッジ本体１内にコネクタ取り付けシート１０があり、該コネクタ取り付けシート１０の構造は、該インク供給コネクタ２１の形状に対応し、取り付け時に、正確に該インク供給コネクタ２１の該カートリッジ本体１内の位置を固定できる。
【００１６】
該コネクタ取り付けシート１０はインクバッグ２の形式に合わせて定められ、並びに単一の固定された構造ではない。本発明が採用するインクバッグ２もまた、図示される単一の形式に限定されるわけではない。
【００１７】
本発明の設計の重点は、以下のとおりである。該カバー３は、該カートリッジ本体１にスピーディーに取り付けられる。分離させたい時は、工具補助の必要なく、スピーディーにカートリッジ本体１より取り外して、該インクバッグ２の交換作業を実行できる。
【００１８】
図２、図３Ａ及び３Ｂに示されるように、該カートリッジ本体１は開口が上向きのハードケース容器であり、形態は、二つの短辺側壁１１と二つの長辺側壁１２で構成されたボックス体である。
【００１９】
該カートリッジ本体１の各長辺側壁１２は少なくとも一つの係止ユニット１３を備える。該係止ユニット１３は該長辺側壁１２の上部に位置し、それは弾性係止部１３１と溝１３２で構成される。
【００２０】
該弾性係止部１３１は該溝１３２の軌道をＬ形を呈するものとなし、該溝１３２の開口幅Ｌ２はその溝底の幅Ｌ１より小さく、該溝底の幅Ｌ１は、該カバー３の横向き移動の距離に等しいかそれより大きい。そのうち、該長辺側壁１２上に位置する複数の溝１３２の方向はいずれも同じである。また、該弾性係止部１３１の高さは該長辺側壁１２の上面より突出する。
【００２１】
該長辺側壁１２の上部には別に少なくとも一つの位置決め凹溝１２１が設けられ、その目的は、組立後に、該カバー３が横向きのスライドを発生させにくくすることにある。
【００２２】
該カートリッジ本体１のそのうち一つの短辺側壁１１には別に少なくとも一つの位置決め孔１１１が設けられ、本実施例では該位置決め孔１１１は二つ設けられ、その目的は、組立時にスピーディーに該カバー３の位置を定位できるようにし、且つ取り付けの時間を短縮させることにある。
【００２３】
該カバー３の形状は、該カートリッジ本体１に対応し、長方形の板状を呈する。該カバー３の二つの長辺それぞれに、少なくとも一つのフック３１が設けられ、該フック３１の位置は、該係止ユニット１３に対応する。
【００２４】
該カバー３の、該フック３１がある部分の辺縁には制限溝３２があり、該制限溝３２の幅は、該カバー３の該カートリッジ本体１上部における横向き移動の距離に等しいかそれより大きい。
【００２５】
このほか、該カバー３の両側辺縁底面に、少なくとも一つの凸粒３３を備え、該凸粒３３の位置は、該位置決め凹溝１２１に対応する。
【００２６】
さらに、該カバー３のそのうち一つの短側辺に別に少なくとも一つの位置決め凸塊３４が設けられ、組立時に該位置決め凸塊３４は該位置決め孔１１１内に挿入される。
【００２７】
図２に示されるように、該カバー３はまた操作孔３５を備え、該操作孔３５の位置は前述の該カバー３の位置決め凸塊３４を備えた側辺であり、その目的は、該カバー３を該カートリッジ本体１より分離させたい時に、手指を該操作孔３５内に入れて、該カバー３の壁と接触させ、該カバー３を押動して移動させるのに便利とすることにある。
【００２８】
続いて、本発明の該カバー３の該カートリッジ本体１への組み付けの方式について説明する。図４に示されるように、まず、該カバー３の位置決め凸塊３４を該カートリッジ本体１の位置決め孔１１１内に挿入し、並びにその部分を中心として該カバー３を下向きに回し、フック３１と該弾性係止部１３１が接触する時、該フック３１の下から上の逆三角形の凸体が、該弾性係止部１３１を外向きに押し開き、最後に、該フック３１が該溝１３２内に挿入させられる。図５に示されるように、このとき、該弾性係止部１３１は該フック３１の上縁を制圧し、カバー３を上向きに移動できなくし、該凸粒３３は該位置決め凹溝１２１内に位置して、カバー３を横向き移動不能とする。これにより、外力のない状況で、該カバー３は強固に該カートリッジ本体１上部に固定される。
【００２９】
該カバー３を該カートリッジ本体１より分離したい時は、図６Ａに示されるように、手指を該操作孔３５内に伸入させ、該カバー３を押動して横向きに短距離の移動をさせ、該フック３１を該溝１３２に沿って、該弾性係止部１３１より離脱させ、最後に該溝１３２の閉じられていない開口部分に移動させる（図６Ｂに示されるとおり）。このとき、該位置決め凸塊３４もまた位置決め孔１１１より離脱し、該カバー３を上向きに起こして該カートリッジ本体１と分離させられる。この過程中に、工具による補助は不要であり、便利で容易で、またスピーディーである。
【００３０】
総合すると、本発明の設計を運用すると、該カバー３をカートリッジ本体１に取り付ける時、或いは該カバー３を該カートリッジ本体１より分離する時のいずれも、工具による補助は不要であり、取り付けと取り外しの目的を達成でき、使用者がインクバッグを交換する時にも便利であり、一種の自然法則を利用した発明であり、特許の要件を満たす。
【００３１】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００３２】
１  カートリッジ本体
１０  コネクタ取り付けシート
１１  短辺側壁
１１１  位置決め孔
１２  長辺側壁
１２１  位置決め凹溝
１３  係止ユニット
１３１  弾性係止部
１３２  溝
２  インクバッグ
２１  インク供給コネクタ
３  カバー
３１  フック
３２  制限溝
３３  凸粒
３４  位置決め凸塊
３５  操作孔
【要約】
【課題】インクカートリッジ開閉構造の提供。
【解決手段】このインクカートリッジ開閉構造は、インクカートリッジがカートリッジ本体とカバーを包含し、両者が組み合わされて容器を形成して交換式インクバッグを収容し、該カバーの該カートリッジ本体との接合面の互いに対向する２辺それぞれに、少なくとも一つのフックが設けられ、該カートリッジ本体は互いに対向する側壁に少なくとも一つの係止ユニットを備え、該係止ユニットは案内溝と弾性係止部で構成され、これにより、該カバーがスピーディーに該カートリッジ本体に組み付けられ、分離される時は、工具の補助の必要なく、スピーディーに両者が分離され、これによりインクバッグの交換作業に便利である。
【選択図】図３Ａ【図１】
0005586737.tif 000002
【図２】
0005586737.tif 000003
【図３Ａ】
0005586737.tif 000004
【図３Ｂ】
0005586737.tif 000005
【図４】
0005586737.tif 000006
【図５】
0005586737.tif 000007
【図６Ａ】
0005586737.tif 000008
【図６Ｂ】
0005586737.tif 000009